(57)【特許請求の範囲】
【請求項１】
支持台と、支持台上に載置する不透明な多数個のケースとよりなり、支持台上には一対のケースの載置部を設けると共に載置部の中央に固定磁石を埋設し、ケース内の中央にはガイド部材を設け、このガイド部材に固定磁石と対向面の磁極が同一の可動磁石を昇降自在に支持させ、可動磁石上には同じ絵とか文字を２枚宛て表わしたカード板の下端を固定し、カード板の上端をケースの上部に設けたスリットに昇降可能に臨ませることにより、前記支持台の固定磁石上に載置した２個のケースのスリットより夫々カード板が突出し、絵とか文字が出現するように構成したことを特徴とするカード遊具。
【請求項２】
ケース内の下端中央に重りを兼ねた磁性体の金属板を固定し、該金属板上に可動磁石を吸着させたことを特徴とする請求項１記載のカード遊具。
【発明の詳細な説明】
【技術分野】
【０００１】
本発明は、遊びながら暗記力が養われるカード遊具に関するものである。
【背景技術】
【０００２】
人形等の浮揚部材の下端に固定した上側の磁石に対し、対向面が同一極性の下側の磁石を上側の磁石に接近させて浮揚部材を浮上させ、下側の磁石を上側の磁石から離隔させて浮揚部材を落下させる玩具が公知である（例えば、実開平６−８０４９９号公報、登録実用新案公報第３０１３９６２号）。
【０００３】
これ等の玩具は、透明の筒体内の浮揚部材を昇降させて、その変化を楽しむものであり、不透明な多数のケースから２個のケースを選び、そのケース内に隠れているカード板を突出させてカード板に表示されている絵とか文字が一致することを期待して遊ぶことはできない。
【先行技術文献】
【特許文献】
【０００４】
【特許文献１】実開平６−８０４９９号公報
【特許文献２】登録実用新案公報第３０１３９６２号
【発明の概要】
【発明が解決しようとする課題】
【０００５】
本発明は、トランプの神経衰弱の場合と異なり、ケースを支持台上に置くとケースから絵とか文字が現れ、ケースを支持台から持ち上げると絵とか文字が消える面白さを味わいながら、暗記力を養うことができるカード遊具を提供することを目的としている。
【課題を解決するための手段】
【０００６】
本発明に係る請求項１のカード遊具は、支持台と、支持台上に載置する不透明な多数個のケースとよりなり、支持台上には一対のケースの載置部を設けると共に載置部の中央に固定磁石を埋設し、ケース内の中央にはガイド部材を設け、このガイド部材に固定磁石と対向面の磁極が同一の可動磁石を昇降自在に支持させ、可動磁石上には同じ絵とか文字を２枚宛て表わしたカード板の下端を固定し、カード板の上端をケースの上部に設けたスリットに昇降可能に臨ませることにより、前記支持台の固定磁石上に載置した２個のケースのスリットより夫々カード板が突出し、絵とか文字が出現するように構成している。
【０００７】
この請求項１のカード遊具は、ケースを支持台の載置部上に載せると、固定磁石と可動磁石との対向面の磁極が同一のため、可動磁石は反発してガイド部材に沿って浮上し、ケースのスリットからカード板が突出して、カード板に表示された絵とか文字がケース上に現れる。支持台からケースを持ち上げると、可動磁石は自重によりガイド部材に沿ってケースの下端に下降し、カード板がケース内に沈んで絵とか文字が隠蔽される。
【０００８】
例えば鳥類、獣類、魚類等の同じ絵を、或いは数字とかアルファベットの同じ文字を、各カード板に２枚宛て表示した多数のケースを床や机上にランダムに並べ、一人が任意の２個のケースを拾って支持台の固定磁石の位置に載置すると、ケース内のカード板がケース上に突出して絵とか文字が現れる。両方のカード板の絵とか文字が同じ場合は、その２個のケースを獲得し、違ったときは床や机上の元の位置に戻して次の人が記憶を辿りながらゲームを続ける。
【０００９】
本発明に係る請求項２のカード遊具は、請求項１の発明において、ケース内の下端中央に磁性体の金属板を固定し、該金属板上に可動磁石を吸着させたことを特徴としている。
【００１０】
この請求項２のカード遊具は、ケースを支持台の載置部上に載せると、磁着部材が固定磁石に吸着され、固定磁石と同一の磁気を帯びるため、可動磁石が反発してガイド部材に沿って浮上し、カード板がスリットから突出してカード板に表示された絵とか文字がケースから出現する。支持台からケースを持ち上げると、可動磁石は磁力の低下と共に自重によりガイド部材に沿って下降し、磁性体の金属板に吸着される。可動磁石の下降に伴なってカード板がケース内に沈み、絵とか文字がケース内に隠蔽される。
【００１１】
請求項１の場合と同様に、多数のケースにおける各カード板に絵とか文字を２枚宛て表示し、床とか机上にランダムに載置したケースから２個のケースを拾って支持台の固定磁石上に載置し、ケースから突出したカード板の絵とか文字が同一であれば、その２個のケースを取得し、違うときは床とか机上の元の位置に戻して次の人が記憶を辿りながらゲームを続ける。
【００１２】
またケースを支持台から離隔した状態、即ちケース内にカード板が沈んだ状態にあっては、可動磁石は磁性体の金属板に吸着されているため、ケースを逆さに持っても、またケースを逆さにして振ってもカード板がケースから突出することがない。
【発明の効果】
【００１３】
本発明に係る請求項１及び２のカード遊具は、ケースを支持台に載せたり外したりすると、不透明なケースからカード板の絵とか文字が露出したり隠蔽したりするため、トランプの神経衰弱では得られない楽しさを味わうことができ、しかも遊びながら暗記力を養うことができる。
【００１４】
特に請求項２のカード遊具は、ケースを支持台の載置部に載せない限り、ケース内の絵とか文字を確認することができないので、公平なゲームを楽しむことができる。
【図面の簡単な説明】
【００１５】
【図１】本発明に係るカード遊具の実施形態を示す一部縦断正面図である。
【図２】図１におけるA−A線の断面図である。
【図３】同上実施形態における支持台の平面図である。
【図４】同上実施形態におけるケースの拡大縦断面図である。
【発明を実施するための形態】
【００１６】
以下、本発明の実施形態を図１〜図４を参照して詳細に説明する。符号１はプラスチック製の支持台であり、２は多数の不透明なプラスチック製の卵形のケースであり、下端に扁平部2aを形成している。上記支持台１には上面に卵形のケース２の下部を保持する左右一対の凹状の載置部３を形成し、この載置部３の水平な底部3a中央に固定磁石４を埋設している。各ケース２内の下端中央には重りを兼ねた磁性体である環状の金属板５、例えば鉄板を固定し、且つケース２内の中央にはガイド部材であるプラスチック製の支柱６を樹立し、該支柱６に環状の可動磁石７を昇降自在に嵌合している。この可動磁石７は外周をプラスチック製のカバー7aにより被覆している。また可動磁石７上にはカード板８の下端に固着した磁性体である金属片９、例えばＵ型に曲成した鉄片の下端を吸着させ、カード板８の上端はケース２の上端に設けたスリット１０に、ケース２上に突出し得るように臨ませている。また各ケース２のカード板８には、同じ動物の絵１１が２枚宛て印刷されたシール１２を貼着している。
【００１７】
上記実施形態におけるケース２を支持台１の載置部３に挿入すると、ケース２の扁平部2aが載置部３の水平な底部3aに重なり、載置部３の中央に埋設した固定磁石４に、ケース２内の下端中央に設けた磁性体の金属板５が吸着され、しかもケース２の外周を載置部３により保持されるため、ケース２は載置部３に傾斜することなく自立する。載置部３へのケース２の載置により固定磁石４に吸着された磁性体の金属板５の上面が固定磁石４の上面と同極となる。そのため可動磁石７は反発して浮上し、カード板８がケース２上に突出して絵１１が現れる。可動磁石７が浮上しても、ケース２は金属板５による重り効果、及び金属板５の固定磁石４への吸着により、載置部３内に自立している。この状態において載置部３からケース２を引き上げると、固定磁石４による反発力が解除されるため、可動磁石７が下降して金属板５に吸着され、カード板８がケース２内に沈んで絵１１が隠蔽される。
【００１８】
机上にランダムに並べた多数のケース２より２個のケース２を拾って支持台１上の一対の載置部３に載置し、ケース２上に現れた絵１１が同じ場合は、その２個のケース２を獲得し、違ったときは机上の元の位置に戻し、別の人が記憶を辿りながら同じ手順でゲームを続ける。尚、支持台１から離脱したケースは、重りを兼ねた磁性体の金属板５と可動磁石７とにより重心が下端中央に位置するため、床や机上に置いて起き上がり小法師の遊びもできる。
【００１９】
上記実施形態では、支持台１に一対の凹状の載置部３を形成したが、支持台１の上面に丸印による載置部３を設け、その下側に固定磁石５を埋設することもある。但しこの場合は、可動磁石７の浮上によりケース２の重心が高くなって自立不能となるので、ケース２を手で支えながらゲームをする必要がある。またケース２の形状は卵形に限るものではなく、ボール状等でも良い。更にガイド部材にはプラスチック製の支柱６を使用し、これに環状の可動磁石７を昇降自在に嵌合したが、径がやや大きなプラスチック製の筒体を使用し、この筒体内に板状の可動磁石７を昇降自在に嵌合することもある。
【符号の説明】
【００２０】
１        支持板
２        ケース
３        載置部
４        固定磁石
５        磁性体の金属板
６        支  柱
７        可動磁石
８        カード板
９        磁性体の金属片
１０      スリット
１１      絵
１２      シール
【図１】
0005450292.tif 000002
【図２】
0005450292.tif 000003
【図３】
0005450292.tif 000004
【図４】
0005450292.tif 000005